(57)【特許請求の範囲】
【請求項１】
車両の燃料タンクに通じた給油口を塞いだ閉塞位置と開放した開放位置との間で移動して当該給油口を開閉可能なキャップと、
操作者が操作可能な操作手段と、
前記操作手段の操作と連動可能とされるとともに、前記キャップが給油口を塞いだ状態を保持する係止位置と、当該係止を解除して当該キャップの開動作を許容する許容位置との間で動作する係止手段と、
前記係止手段の係止位置から許容位置への動作をロックし、又は当該ロックを解除して前記係止手段の係止位置から許容位置への動作を許容し得るロック手段と、
を具備した燃料タンクキャップのロック装置であって、
前記操作手段と前記係止手段との間に介装されたダンパスプリングから成り、前記ロック手段が前記係止手段をロックした状態のとき、前記操作手段の操作力を前記係止手段に伝達させずに吸収し得るダンパ手段を備えたことを特徴とする燃料タンクキャップのロック装置。
【請求項２】
前記係止手段を前記許容位置から係止位置に付勢するリターンスプリングを有するとともに、当該リターンスプリングは、前記ダンパスプリングのバネ定数より小さいバネ定数に設定されたことを特徴とする請求項１記載の燃料タンクキャップのロック装置。
【請求項３】
前記リターンスプリング及びダンパスプリングは、同一軸方向に延設して配設されたことを特徴とする請求項２記載の燃料タンクキャップのロック装置。
【請求項４】
運転者が携帯し得るとともに車両固有のＩＤコードを発信する発信手段と、
車両側に配設されて前記発信手段からのＩＤコードを受信し得る受信手段と、
該受信手段で受信したＩＤコードが当該車両における正規のものであるか否かを判定する判定手段と、
を備えるとともに、前記判定手段が正規のＩＤコードを受信したと判定している場合に限り、前記ロック手段によるロック解除を行わせ得ることを特徴とする請求項１〜３の何れか１つに記載の燃料タンクキャップのロック装置。
【発明の詳細な説明】
【技術分野】
【０００１】
本発明は、燃料タンクに通じた給油口を塞ぐためのキャップの開閉をロック又はロック解除を行うための燃料タンクキャップのロック装置に関するものである。
【背景技術】
【０００２】
通常、大型の二輪車における燃料タンクの上部には、給油口が設けられるとともに、その給油口を塞いだ閉塞位置と開放した開放位置との間で移動して当該給油口を開閉可能なキャップと、キャップの開閉をロック又はロック解除を行うためのロック装置とを有したものが提案されている。例えば、従来の燃料タンクキャップのロック装置として、特許文献１にて開示されているように、操作者による操作によってキャップの開閉を可能とする操作ノブと、操作ノブの操作を規制してキャップの開動作を禁止するロック手段とを具備したものが挙げられる。
【先行技術文献】
【特許文献】
【０００３】
【特許文献１】特開２００５−７５３０８号公報
【発明の概要】
【発明が解決しようとする課題】
【０００４】
しかしながら、上記従来技術においては、ロック手段により操作ノブの操作が規制された状態のとき、誤って当該操作ノブを強く操作してしまうと、過負荷が生じて操作ノブ又はロック手段が破損してしまう虞があった。しかして、操作ノブが破損してしまうと、給油口を開放状態とすることが困難となってしまい、給油ができなくなってしまうという問題があった。
【０００５】
本発明は、このような事情に鑑みてなされたもので、ロック手段により操作手段の操作が規制された状態で当該操作手段が操作されても、過負荷が生じて破損してしまうのを防止することができる燃料タンクキャップのロック装置を提供することにある。
【課題を解決するための手段】
【０００６】
請求項１記載の発明は、車両の燃料タンクに通じた給油口を塞いだ閉塞位置と開放した開放位置との間で移動して当該給油口を開閉可能なキャップと、操作者が操作可能な操作手段と、前記操作手段の操作と連動可能とされるとともに、前記キャップが給油口を塞いだ状態を保持する係止位置と、当該係止を解除して当該キャップの開動作を許容する許容位置との間で動作する係止手段と、前記係止手段の係止位置から許容位置への動作をロックし、又は当該ロックを解除して前記係止手段の係止位置から許容位置への動作を許容し得るロック手段とを具備した燃料タンクキャップのロック装置であって、前記操作手段と前記係止手段との間に介装されたダンパスプリングから成り、前記ロック手段が前記係止手段をロックした状態のとき、前記操作手段の操作力を前記係止手段に伝達させずに吸収し得るダンパ手段を備えたことを特徴とする。
【０００８】
請求項２記載の発明は、請求項１記載の燃料タンクキャップのロック装置において、前記係止手段を前記許容位置から係止位置に付勢するリターンスプリングを有するとともに、当該リターンスプリングは、前記ダンパスプリングのバネ定数より小さいバネ定数に設定されたことを特徴とする。
【０００９】
請求項３記載の発明は、請求項２記載の燃料タンクキャップのロック装置において、前記リターンスプリング及びダンパスプリングは、同一軸方向に延設して配設されたことを特徴とする。
【００１０】
請求項４記載の発明は、請求項１〜３の何れか１つに記載の燃料タンクキャップのロック装置において、運転者が携帯し得るとともに車両固有のＩＤコードを発信する発信手段と、車両側に配設されて前記発信手段からのＩＤコードを受信し得る受信手段と、該受信手段で受信したＩＤコードが当該車両における正規のものであるか否かを判定する判定手段とを備えるとともに、前記判定手段が正規のＩＤコードを受信したと判定している場合に限り、前記ロック手段によるロック解除を行わせ得ることを特徴とする。
【発明の効果】
【００１１】
請求項１の発明によれば、ロック手段が係止手段をロックした状態のとき、操作手段の操作力を係止手段に伝達させずに吸収し得るダンパ手段を備えたので、ロック手段により操作手段の操作が規制された状態で当該操作手段が操作されても、過負荷が生じて破損してしまうのを防止することができる。
【００１２】
また、ダンパ手段は、操作手段と係止手段との間に介装されたダンパスプリングから成るので、ロック手段により操作手段の操作が規制された状態においても操作手段の操作力をダンパスプリングにて確実に吸収させることができる。
【００１３】
請求項２の発明によれば、係止手段を許容位置から係止位置に付勢するリターンスプリングを有するとともに、当該リターンスプリングは、ダンパスプリングのバネ定数より小さいバネ定数に設定されたので、操作手段による操作性を向上させつつロック手段により操作手段の操作が規制された状態においても操作手段の操作力を確実に吸収させることができる。すなわち、ロック手段による操作手段の操作の規制がない状態においては、リターンスプリングを作動させて操作性を向上することができるとともに、ロック手段による操作手段の操作の規制がある状態においては、ダンパスプリングを作動させて操作手段の操作力を確実に吸収して過負荷を防止することができるのである。
【００１４】
請求項３の発明によれば、リターンスプリング及びダンパスプリングは、同一軸方向に延設して配設されたので、ロック手段による操作手段の操作の規制がない状態においてはリターンスプリングにて操作手段の操作力を確実に受けさせて作動させることができ、ロック手段による操作手段の操作の規制がある場合においてはダンパスプリングにて操作手段の操作力を確実に受けさせて作動させることができる。
【００１５】
請求項４の発明によれば、運転者が携帯し得るとともに車両固有のＩＤコードを発信する発信手段と、車両側に配設されて発信手段からのＩＤコードを受信し得る受信手段と、該受信手段で受信したＩＤコードが当該車両における正規のものであるか否かを判定する判定手段とを備えるとともに、判定手段が正規のＩＤコードを受信したと判定している場合に限り、ロック手段によるロック解除を行わせ得るので、第三者が不正にロック手段によるロック解除を行ってしまうのを防止することができ、防犯性を向上させることができる。
【図面の簡単な説明】
【００１６】
【図１】本発明の実施形態に係る燃料タンクキャップのロック装置を示す平面図及び側面図
【図２】同燃料タンクキャップのロック装置（操作手段の非操作状態）を示す斜視図
【図３】同燃料タンクキャップのロック装置（操作手段の操作状態）を示す斜視図
【図４】同燃料タンクキャップのロック装置の内部構成（操作手段の操作状態）を示す斜視図
【図５】同燃料タンクキャップのロック装置におけるロック手段の取付構造を示す斜視図
【図６】同燃料タンクキャップのロック装置におけるロック手段を示す断面図
【図７】同ロック手段におけるロックバー及び保持部材を示す斜視図
【図８】同燃料タンクキャップのロック装置を示す断面図（図１におけるＶＩＩＩ−ＶＩＩＩ線断面図であって、ロック手段がロック、操作手段が非操作状態、キャップが閉塞位置）
【図９】同燃料タンクキャップのロック装置を示す断面図（ロック手段がアンロック、操作手段が操作状態、キャップが閉塞位置）
【図１０】同燃料タンクキャップのロック装置を示す断面図（ロック手段がアンロック、操作手段が操作状態、キャップが開放位置）
【図１１】同燃料タンクキャップのロック装置を示す断面図（ロック手段がロック、操作手段が操作状態、キャップが閉塞位置）
【図１２】同燃料タンクキャップのロック装置の配線状態を示すブロック図
【発明を実施するための形態】
【００１７】
以下、本発明の実施形態について図面を参照しながら具体的に説明する。
本実施形態に係る燃料タンクキャップのロック装置は、大型二輪車における燃料タンクに通じた給油口を塞ぐためのキャップの開閉をロック又はロック解除するものであり、図１〜図８に示すように、キャップ１と、操作ノブ２（操作手段）と、係止手段３と、ロック手段４と、リターンスプリング８と、ダンパスプリング９（ダンパ手段）とを有して構成されている。なお、上記構成部品は、本体部Ｒに配設されるとともに、給油口Ｔａが形成された収容部材Ｔにて収容されている。また、本体部Ｒの上部には、図１、２に示すように、円環状のカバー部Ｈが複数のボルトＢにて固定されている。
【００１８】
キャップ１は、車両の燃料タンクに通じた給油口Ｔａを塞いだ閉塞位置（図８参照）と開放した開放位置（図１０参照）との間で移動して当該給油口Ｔａを開閉可能なもので、上側キャップ部１ａ及び下側キャップ部１ｂから構成されている。本実施形態においては、運転者等の操作者が操作ノブ２を手で摘まんで上方に引き上げることにより、キャップ１が揺動軸Ｌａを中心に揺動し、閉塞位置から開放位置に移動して給油口Ｔａを外部に臨ませ得るようになっている。
【００１９】
なお、上側キャップ部１ａと下側キャップ部１ｂとの間には、係止手段３、作動片１０、リターンスプリング８及びダンパスプリング９を収容する収容空間が形成されているとともに、係止手段３は収容空間内において係止位置と許容位置との間で摺動し得るようになっている。また、上側キャップ部１ａにおける操作ノブ２と対応する位置には、クッション部材１１が取り付けられており、上側キャップ部１ａに対する操作ノブ２との干渉を緩和し得るようになっている。
【００２０】
操作ノブ２（操作手段）は、キャップ１（上側キャップ部１ａ）の上面に形成されたもので、操作者が操作することによって揺動軸Ｌｂを中心に揺動可能とされている。すなわち、本実施形態に係る操作ノブ２は、非操作状態において閉状態（図２参照）となっており、操作者が手で上方に引き上げることにより、揺動軸Ｌｂを中心に揺動し、開状態（図３参照）となってキャップ１を閉塞位置から開放位置に移動させ得るよう構成されている。
【００２１】
特に、本実施形態においては、操作ノブ２の操作によって作動する作動片１０を有しており、作動片１０と係止手段３との間には、後で詳述するダンパスプリング９が取り付けられている。また、係止手段３と下側キャップ部１ｂとの間には、係止手段３を許容位置から係止位置に付勢するためのコイルスプリングから成るリターンスプリング８が取り付けられており、係止手段３が係止位置から許容位置に移動する際、リターンスプリング８の付勢力に抗するよう構成されている。これらリターンスプリング８及びダンパスプリング９は、図４に示すように、同一軸方向Ａに延設して配設されており、操作ノブ２が操作されると、その操作力をダンパスプリング９が受けて係止手段３に伝達するとともに、係止手段３が摺動すると、その移動力をリターンスプリング８が受け得るようになっている。
【００２２】
さらに、リターンスプリング８は、ダンパスプリング９のバネ定数より小さいバネ定数に設定されており、リターンスプリング８の方がダンパスプリング９より柔らかいバネとされている。これにより、ロック手段４により係止手段３のロックがなされていないアンロック状態において、操作ノブ２を操作すると、その操作力が作動片１０及びダンパスプリング９を介して係止手段３に伝達されるので、係止手段３がリターンスプリング８の付勢力に抗して移動して係止位置から許容位置に移動するようになっている。
【００２３】
係止手段３は、操作ノブ２の操作と連動可能とされるとともに、キャップ１が給油口Ｔａを塞いだ状態を保持する係止位置（図８、１１参照）と、当該係止を解除して当該キャップ１の開動作を許容する許容位置（図９、１０参照）との間で動作するものである。より具体的には、本実施形態に係る係止手段３は、上側キャップ部１ａと下側キャップ部１ｂとの間に形成された作動空間において略直線状にスライド可能とされており、係止位置にあるとき、先端の係止部３ａがカバー部Ｈに形成された被係止部Ｈａに係止してキャップ１の閉塞位置から開放位置への移動を規制するとともに、操作ノブ２が操作されて許容位置にあるとき、係止部３ａが被係止部Ｈａから離間して係止が解かれ、キャップ１の閉塞位置から開放位置への移動を許容するよう構成されている。
【００２４】
ロック手段４は、係止手段３の係止位置から許容位置への動作をロックし、又は当該ロックを解除して係止手段３の係止位置から許容位置への動作を許容し得るもので、本実施形態においては、図６、７に示すように、ソレノイド５と、ロックバー６と、保持部材７とを有して構成されている。ソレノイド５は、通電により変位可能なプランジャ５ａと、プランジャ５ａを突出方向に付勢するバネ５ｂとを有したもので、本実施形態においては、車両に取り付けられたスイッチ等から成るロック解除手段１７（図１２参照）と電気的に接続され、当該ロック解除手段１７のオン操作によって通電可能とされている。
【００２５】
ロックバー６は、図７、８〜１１に示すように、係止手段３に形成された凸状の連結部３ｂを嵌合可能な嵌合凹部６ａと、嵌合凹部６ａの略中央位置から下方に貫通して形成された挿通孔６ｂと、下部において軸方向に延びた凹状の溝部６ｃとを有して構成されている。なお、本体部Ｒには、図示しないバネ等により上方に付勢された支持ピン１２が取り付けられており、操作ノブ２の操作によって係止手段３が許容位置にあるとき、図９に示すように、支持ピン１２にて連結部３ｂを支持して係止手段３が下方に移動するのを防止するようになっている。
【００２６】
保持部材７は、図７に示すように、ロックバー６を嵌合させて保持した部品から成り、当該ロックバー６の軸方向に対して摺動可能とされるとともに、所定位置には、ソレノイド５のプランジャ５ａを挿通可能な挿通穴７ａが形成されている。しかして、ソレノイド５が非作動の状態（通電されていない状態）のとき、図６（ａ）に示すように、バネ５ｂで付勢されたプランジャ５ａの突端部が挿通穴７ａに挿通して嵌合されており、図８に示すように、保持部材７及びロックバー６の移動を規制して係止手段３を係止位置にてロックするようになっている。
【００２７】
そして、ロック解除手段１７をオン操作することによりソレノイド５に通電すると、プランジャ５ａがバネ５ｂの付勢力に抗して移動し、その突端部が挿通穴７ａから離間して嵌合が解かれるので、図６（ｂ）に示すように、係止手段３のロックが解除されて保持部材７及びロックバー６の移動を許容した状態とされる。この状態（アンロック状態）で操作ノブ２を操作すると、図９に示すように、係止手段３が連動し、リターンスプリング８の付勢力に抗して係止位置から許容位置まで摺動するので、図１０に示すように、キャップ１を閉塞位置から開放位置に揺動させて給油することができる。
【００２８】
さらに、キャップ１を開放位置から閉塞位置に揺動させて操作ノブ２から手を離すと、リターンスプリング８の付勢力によって係止手段３が許容位置から係止位置に摺動し、係止部３ａが被係止部Ｈａに係止してキャップ１の閉塞位置から開放位置への揺動が規制される。このとき、ソレノイド５に対する通電は停止されているため、ロックバー６と共に保持部材７がロック位置に戻った際、バネ５ｂの付勢力にてプランジャ５ａの突端部が挿通穴７ａに挿通して保持部材７の移動が規制される。これにより、保持部材７と共にロックバー６の移動が規制されるので、ロック手段４によって係止手段３がロックされることとなる。
【００２９】
ここで、本実施形態においては、ロック手段４が係止手段３をロックした状態のとき、操作ノブ２の操作力を係止手段３に伝達させずに吸収し得るダンパスプリング９（ダンパ手段）が配設されている。かかるダンパスプリング９は、操作ノブ２（作動片１０）と係止手段３との間に介装されたコイルスプリングから成り、操作ノブ２が操作されると、その操作力が作動片１０及びダンパスプリング９を介して係止手段３に伝達されるようになっている。
【００３０】
そして、既述のように、リターンスプリング８は、ダンパスプリング９のバネ定数より小さいバネ定数に設定されているので、ロック手段４がアンロック状態のとき操作ノブ２を操作すると、係止手段３が係止位置から許容位置に移動するとともに、リターンスプリング８が作動して圧縮されることにより、操作ノブ２から手を離した際に係止手段３を係止位置まで自然に戻すようになっている。
【００３１】
さらに、ロック手段４がロック状態のとき操作ノブ２を操作すると、係止手段３の係止位置から許容位置への動作が規制されているので、図１１に示すように、ダンパスプリング９が圧縮され、操作力に伴う作動片１０の移動を当該ダンパスプリング９が吸収し得るようになっている。すなわち、ロック手段４がロック状態のとき操作ノブ２を操作すると、係止手段３を係止位置に保持させつつダンパスプリング９が作動して圧縮されるので、操作ノブ２の操作力をダンパスプリング９にて吸収させることができる。
【００３２】
加えて、本実施形態に適用される車両は、図１２に示すように、運転者が携帯し得るとともに車両固有のＩＤコードを電波に乗せて発信する発信手段１３と、車両側に配設されて発信手段１３からのＩＤコードを受信し得る受信手段１４と、該受信手段１４で受信したＩＤコードが当該車両における正規のものであるか否かを判定する判定手段１５とを有しており、判定手段１５が正規のＩＤコードを受信したと判定したことを条件として、ＥＣＵ１６に制御信号を送信してエンジン始動を許可するようになっている。
【００３３】
本実施形態に係る判定手段１５は、ロック解除手段１７と電気的に接続されており、判定手段１５が正規のＩＤコードを受信したと判定している場合に限り、ロック手段４によるロック解除を行わせ得るよう構成されている。すなわち、判定手段１５が正規のＩＤコードを受信したと判定している場合、ロック解除手段１７をオン操作することにより、ロック手段４のロックを解除して係止手段３の係止位置から許容位置への移動を許容するとともに、判定手段１５が正規のＩＤコードを受信していると判定されない場合、ロック解除手段１７をオン操作しても、ロック手段４によるロック解除動作が行われないようになっている。
【００３４】
上記実施形態によれば、ロック手段４が係止手段３をロックした状態のとき、操作ノブ２の操作力を係止手段３に伝達させずに吸収し得るダンパスプリング９（ダンパ手段）を備えたので、ロック手段４により操作ノブ２の操作が規制された状態（具体的には、ロック手段４により係止手段３の係止位置から許容位置への移動が規制されることによって操作ノブ２の操作が規制された状態）で当該操作ノブ２が操作されても、過負荷が生じて破損してしまうのを防止することができる。特に、本実施形態に係るダンパ手段は、操作ノブ２と係止手段３との間に介装されたダンパスプリング９から成るので、ロック手段４により操作ノブ２の操作が規制された状態においても操作ノブ２の操作力をダンパスプリング９にて確実に吸収させることができる。
【００３５】
また、本実施形態によれば、係止手段３を許容位置から係止位置に付勢するリターンスプリング８を有するとともに、当該リターンスプリング８は、ダンパスプリング９のバネ定数より小さいバネ定数に設定されたので、操作ノブ２による操作性を向上させつつロック手段４により操作ノブ２の操作が規制された状態においても操作ノブ２の操作力を確実に吸収させることができる。すなわち、ロック手段４による操作ノブ２の操作の規制がない状態（ロック手段４が非ロック状態）においては、リターンスプリング８を作動させて操作性を向上することができるとともに、ロック手段４による操作ノブ２の操作の規制がある状態（ロック手段４がロック状態）においては、ダンパスプリング９を作動させて操作ノブ２の操作力を確実に吸収して過負荷を防止することができるのである。
【００３６】
さらに、本実施形態に係るリターンスプリング８及びダンパスプリング９は、同一軸方向Ａに延設して配設されたので、ロック手段４による操作ノブ２の操作の規制がない状態においてはリターンスプリング８にて操作ノブ２の操作力を確実に受けさせて作動させることができ、ロック手段４による操作ノブ２の操作の規制がある場合においてはダンパスプリング９にて操作ノブ２の操作力を確実に受けさせて作動させることができる。
【００３７】
またさらに、運転者が携帯し得るとともに車両固有のＩＤコードを発信する発信手段１３と、車両側に配設されて発信手段１３からのＩＤコードを受信し得る受信手段１４と、該受信手段１４で受信したＩＤコードが当該車両における正規のものであるか否かを判定する判定手段１５とを備えるとともに、判定手段１５が正規のＩＤコードを受信したと判定している場合に限り、ロック手段４によるロック解除を行わせ得るので、第三者が不正にロック手段４によるロック解除を行ってしまうのを防止することができ、防犯性を向上させることができる。
【００３８】
以上、本実施形態について説明したが、本発明はこれに限定されず、例えば操作ノブ２に代えて、運転者等が操作して係止手段３を係止位置と許容位置との間で動作させ得る他の形態の操作手段（例えば、揺動型のものの他、摺動型又は回転型等）としてもよい。また、ダンパスプリング９に代えて、ロック手段４が係止手段３をロックした状態のとき、操作ノブ２等の操作手段の操作力を係止手段３に伝達させずに吸収し得る他の形態のダンパ手段としてもよい。なお、適用される車両は、自動車や二輪車の他、バギー又は雪上車等であってもよい。
【産業上の利用可能性】
【００３９】
操作手段と係止手段との間に介装されたダンパスプリングから成り、ロック手段が係止手段をロックした状態のとき、操作手段の操作力を係止手段に伝達させずに吸収し得るダンパ手段を備えた燃料タンクキャップのロック装置であれば、外観形状が異なるもの或いは他の機能が付加されたもの等にも適用することができる。
【符号の説明】
【００４０】
１  キャップ
１ａ  上側キャップ部
１ｂ  下側キャップ部
２  操作ノブ（操作手段）
３  係止手段
３ａ  係止部
３ｂ  連結部
４  ロック手段
５  ソレノイド
５ａ  プランジャ
５ｂ  バネ
６  ロックバー
６ａ  嵌合凹部
６ｂ  挿通孔
６ｃ  溝部
７  保持部材
７ａ  挿通穴
８  リターンスプリング
９  ダンパスプリング（ダンパ手段）
１０  作動片
１１  クッション部材
１２  支持ピン
１３  発信手段
１４  受信手段
１５  判定手段
１６  ＥＣＵ
１７  ロック解除手段
Ｔ  収容部材
Ｔａ  給油口
Ｈ  カバー部
Ｈａ  被係止部
Ｒ  本体部
【図１】
0006697940.tif 000002
【図２】
0006697940.tif 000003
【図３】
0006697940.tif 000004
【図４】
0006697940.tif 000005
【図５】
0006697940.tif 000006
【図６】
0006697940.tif 000007
【図７】
0006697940.tif 000008
【図８】
0006697940.tif 000009
【図９】
0006697940.tif 000010
【図１０】
0006697940.tif 000011
【図１１】
0006697940.tif 000012
【図１２】
0006697940.tif 000013